(57)【特許請求の範囲】
【請求項１】
建家１の内部を仕切壁２により操作室３と機械室４とに仕切り、操作室３側には、玄米投入部５，操作盤６，白米取出部７等を設け、機械室４側には、投入ホッパ８，石抜機９ｂ，精米昇降機９，精米機１０，糠回収手段１１を設け、前記機械室４側の仕切壁２の近傍で、且つ、白米取出部７の近くでしかも投入ホッパ８より遠い側には、糠取出ボックス７３を設け、糠が糠搬送フアン２１により糠取出ボックス７３の上方に配置している第１サイクロン７４に取り出される構成とすると共に、該糠取出ボックス７３には操作室３側から開閉できる扉を設けたことを特徴とする無人精米施設。
【発明の詳細な説明】
【０００１】
【産業上の利用分野】
この発明は、無人精米施設に関する。
【０００２】
【従来の技術】
従来の操作室３及び機械室４を有する建家１，建家１内に配置されている穀粒の供給される投入ホッパ８，精米機１０，精米機１０で精米された白米の取出部、これらの駆動部を所定時間駆動する駆動手段とからなる無人精米施設がある。
【０００３】
【発明が解決しようとする課題】
上記無人精米施設では、精米機で分離した糠を糠搬送ファンで糠回収手段に搬送される。
【０００４】
この発明は、無人精米施設の利用者が精米機で精米して発生した糠を糠袋に回収して持ち帰ることができるようにしたことを課題とする。
【０００５】
【課題を解決するための手段】
この発明は、このような従来技術のもつ課題を解決するために、次の技術的手段を講じた。
即ち、この発明は、建家１の内部を仕切壁２により操作室３と機械室４とに仕切り、操作室３側には、玄米投入部５，操作盤６，白米取出部７等を設け、機械室４側には、投入ホッパ８，石抜機９ｂ，精米昇降機９，精米機１０，糠回収手段１１を設け、前記機械室４側の仕切壁２の近傍で、且つ、白米取出部７の近くでしかも投入ホッパ８より遠い側には、糠取出ボックス７３を設け、糠が糠搬送フアン２１により糠取出ボックス７３の上方に配置している第１サイクロン７４に取り出される構成とすると共に、該糠取出ボックス７３には操作室３側から開閉できる扉を設けたことを特徴とする無人精米施設の構成としたものである。
【０００６】
【作用】
玄米を利用者が持ち込み投入ホッパ８に投入し、次いで、例えばコインを投入して、駆動部を所定時間にわたり駆動し、無人精米施設を駆動する。すると、投入ホッパ８の投入玄米は穀粒取出手段により取り込まれて搬送系を経て精米機１０に供給されて精米される。
【０００７】
糠が糠搬送フアン２１により、糠取出ボックス７３の上方に配置している第１サイクロン７４に取り出され、次いで、第１サイクロン７４の下部から糠取出ボックス７３に取り出される。
【０００８】
【発明の効果】
糠が糠搬送フアン２１により、糠取出ボックス７３の上方に配置している第１サイクロン７４に取り出され、次いで、第１サイクロン７４の下部から糠取出ボックス７３に取り出されるので、利用者は自分の持ち込んだ玄米の糠を糠袋に回収して持ち帰ることができる。
【０００９】
【発明の実施の形態】
以下、図１〜図５に基づき、無人精米施設の全体構成について説明する。
１は無人精米施設を設置する建屋で、建家１の内部は、仕切壁２により操作室３と機械室４とに仕切られている。操作室３側には、玄米投入部５，操作盤６，白米取出部７等を設け、機械室４側には、投入ホッパ８，石抜機９ｂ，精米昇降機９，精米機１０，糠回収手段１１等を設けている。
【００１０】
前記玄米投入部５の操作室３側には、仕切壁２の開口部１２に対向して投入ホッパ８を設け、また、前記玄米投入部５の機械室４側には、投入ホッパ８を臨ませて設けている。この投入ホッパ８の下部流出口に臨ませて供給樋１５を連設している。前記投入ホッパ８の流出口部には、図５に示すように、モ−タ（図示省略）で駆動されるロ−タリバルブ（穀粒取出手段）１３を設け、ロ−タリバルブ１３で取り出された穀粒は、供給ラセン１４を内装する供給樋１５に引き継がれて搬送される。供給ラセン１４の軸端部には、駆動モ−タ１６を設けて回転駆動する構成である。なお、投入ホッパ８から取り込まれた玄米を石抜機用昇降機９ａに直接供給する構成としてもよい。
【００１１】
前記供給樋１５の終端側を、石抜機用昇降機９ａの下部ホッパを臨ませ、石抜機用昇降機９ａの上部ホッパの下方に石抜機９ｂを臨ませ、石抜機９ｂの玄米取出口を精米昇降機９の下部側ホッパに臨ませ、精米昇降機９の上部ホッパの下方には、精米機１０の玄米タンク１７を臨ませている。
この精米機１０は、精白室１８内に精白ロール１９を内装する公知の形態であり、除糠スクリーン２０から分離した糠は、糠搬送ファン２１により、糠回収手段１１に搬送される。２２は精米機モ−タで、前記精白ロール１９や糠搬送ファン２１等を回転駆動する。前記精白室１８の出口側を、白米取出部７としての白米タンク２３に臨ませている。２４は精白室１８に送風する送風ファンである。精白度の調節は白度調節モ−タ２５の正逆回転により行い、出口側の圧迫板２６に加わる白度調節ばねの弾性圧変更により行われる。
【００１２】
糠回収手段１１は、サイクロン２７，このサイクロン２７の下部に臨んでいて、且つ、落下した糠を横方向に移送する糠移送ラセン２８を有する樋２９，該樋２９の途中部及び終端側に開口されている排出部，該排出部から落下する糠を受ける糠袋３０，３０から構成されている。
操作室３側にある操作盤６の操作盤面には、図４に示すように、玄米投入部５への玄米投入の可否を表示する玄米投入可ランプ３１，投入されたコイン枚数を表示するコイン枚数表示灯３２，コインの投入口のあるコインメック３３，もち米を精米する時に押すもち米選択スイッチ３４，白度選択用の上白スイッチ３５，標準スイッチ３６，８分スイッチ３７，料金追加ランプ５５，精米終了ランプ５６，料金表３８等を設けている。
【００１３】
前記コインメック３３には、投入コインの識別部や投入コイン毎に作動するコインセンサ３９等が設けられている。そして、この操作盤６の内部には、各部駆動用のモ−タを駆動制御するマイクロコンピュータ（以下ＣＰＵという）４０を備えている。
図６は制御関係のブロック図を示すもので、前記ＣＰＵ４０には、入力インタ−フエイスを経由して、コインの投入検出によりＯＮするコインセンサ３９，自動スイッチ４２，前記もち米選択スイッチ３４，精白度選択用の上白スイッチ３５，標準スイッチ３６，８分スイッチ３７，負荷電流センサ（図示省略）の過負荷検出で駆動用モ−タをＯＦＦに切替る過負荷スイッチ４３，供給ラセンの時間切替スイッチ４４、精白度を強側あるいは弱側にする精白度調節スイッチ４５，玄米タンク１７に設けられている玄米のなくなったことを検出する終了検出スイッチ４６，停止スイッチ４７，回転センサ４８，手動スイッチ４９が、夫れ夫れ接続されている。
【００１４】
また、ＣＰＵ４０には、出力インタ−フエイスを経由して、精米機１０・精米昇降機９・糠移送ラセン２８を駆動する精米機モ−タ２２駆動用の精米機駆動手段５０（リレ−で構成），供給ラセン１４を駆動する駆動モ−タ１６の駆動手段５１（リレ−で構成），白度調節スイッチ４５を精白度強側に調節する精白度強駆動手段５２（リレ−で構成），白度調節スイッチ４５を精白度弱側に調節する精白度弱駆動手段５３（リレ−で構成），コインメック３３のコイン投入口を閉鎖しコイン投入を禁止するコイン投入禁止手段５４（リレ−で構成），もち米選択スイッチ・ランプ３４ａ，上白スイッチ・ランプ３５ａ，標準スイッチ・ランプ３６ａ，八分スイッチ・ランプ３７ａ，コイン枚数表示灯３２，料金追加ランプ５５，精米終了ランプ５６が、夫れ夫れ接続されている。
【００１５】
次に、ＣＰＵ４０の制御機能について説明する。
（１）コインセンサ３９からの信号を受けて、所定種類（例えば、１００円硬貨）のコイン投入枚数を算出して、コイン枚数表示灯３２にコイン投入枚数を表示する。
（２）次いで、上白スイッチ３５，標準スイッチ３６，八分スイッチ３７の白度選択スイッチの何れかがＯＮされると、精白作業がスタ−トし、前記投入コインの枚数に応じて、内蔵のタイマ機構を動作して、所定時間（例えば、１００円当り１３５秒）にわたり、駆動モ−タ１６の駆動手段５１に励磁信号を出力すると共に、精米機１０の駆動モ−タ２２や昇降機９の駆動用モ−タ等の機械駆動系のモ−タにも同様の駆動信号を出力する。
（３）コイン投入枚数に基づく設定時間が経過すると、設定時間（例えば３０秒）だけ遅れて、精米機１０駆動用の精米機モ−タ２２等の本機駆動系モ−タを停止する指令信号を出力して、これらの駆動が終了し、精米作業が終了する。
【００１６】
次に、図１〜図６に示す実施例の作用について説明する。
予め原料玄米の量に見合う運転時間を確保できるだけのコインを、コインメック３３の投入口に投入し、玄米を投入ホッパ８に供給する。すると、駆動各部はコイン投入と同時に起動、あるいは、所定時間ずらせて順次起動されて運転を開始する。しかして、投入ホッパ８の玄米はロ−タリバルブ１３で取り出され、供給ラセン１４によって横方向に移送されて、精米昇降機９の下部に供給されて揚穀され、玄米タンク１７に供給される。
【００１７】
次いで、玄米タンク１７から精米機１０の精白室１８内に流下する玄米は、精白ロール１９の回転により、穀粒間乃至除糠スクリーン２０間との摩擦で表面の糠層が剥がされて精白される。この際、出口の圧迫板２６は、精白選択用の上白スイッチ３５，標準スイッチ３６，八分スイッチ３７により選択設定された所望の圧力に設定されており、希望の精白度に精米される。
【００１８】
精白室１８から流下した精白米は、白米取出部７を経て操作室３内に回収される。装置の運転各部は投入金額により設定された時間が経過すると、まず、ロ−タリバルブ１３の駆動用モ−タ（図示省略）及び供給ラセン１４の駆動モ−タ１６が停止し、次いで、所定時間遅れて精米機等の本機駆動モ−タが停止する。
前記のように精米作業がされるのであるが、これと平行して、精米作業が開始すると、投入コインについて所定時間毎に１００円づつの減算計算がなされ、当該減算内容がコイン枚数表示灯３２に表示され、また、作業中にコインの追加投入があると、残存枚数と追加枚数との合計枚数がコイン枚数表示灯３２に表示され、以後同様の減算表示が０枚になるまで繰り返され、最後に０枚の表示がされ、精米作業が終了する。
【００１９】
次に、図７及び図８に基づき精米制御の他の実施例について説明する。
従来の無人精米施設における精米機の網破れ検出制御装置は、除糠スクリ−ン２０の網破れをセンサが検出すると、すぐに精米機を停止し故障中と表示していた。
センサで網破れを検出した場合にも、網破れ当初は小さな網破れであり精米作業を継続してもさほど問題がない場合が多い。しかし、従来装置にあっては、網破れが検出されると必ず精米作業が停止されるので、利用者は少しの網破れでも精白米を取り出すことができず、故障を通報し修理を待たなければならないという不具合があった。そこで、この実施例では、このような欠点を解消しようとするものである。
【００２０】
この実施例は、精米機１０に除糠スクリ−ン２０の破れを検出するセンサを設け、除糠スクリ−ン２０の破れ当初は精米運転の継続をできるようにしようとするものである。
精米機１０の糠排出フアンケ−ス６０に、除糠スクリ−ン２０の破れ具合を検出する網破れセンサ６１を設けている。この網破れセンサ６１は、例えば、検出した音の大小を電圧値に変換して検出するものである。
【００２１】
網破れセンサ６１の検出情報はセンサ解析部６２に入力され、検出情報と基準値とを比較して破れの有無を判定し、検出情報が大の場合には網破れと判定し、網破れ接点６３にＯＦＦ指令が出力されてＯＦＦにする構成である。
網破れ接点６３は、前記精米機１０の駆動中に接続する精米接点６４，前記精米接点６４と並列に設けられている選択スイッチ６５を経由して、マイクロコンピュ−タ（ＣＰＵ）４０の入力ボード４０ａに接続されており、また、ＣＰＵ４０の出力ボード４０ｂには故障表示板６６を接続している。
【００２２】
前記のように構成されているので、選択スイッチ６５をＯＦＦ操作して精米作業を開始すると、網破れセンサ６１から網破れ接点６３がＯＦＦすると、即座にＣＰＵ４０から故障表示指令が出されて、故障表示板６６に表示される。また、選択スイッチ６５をＯＮにしておくと、網破れセンサ６２の網破れ検出により、網破れ接点６３がＯＦＦされても直ちに精米機１０は停止せずに精米を継続し、精米作業終了後に故障表示板６６に故障表示がされる。
【００２３】
次に、図５及び図９に基づき、精米制御の他の実施例について説明する。
この実施例は、無人精米施設において、精米開始時の精米されない未白米の取出を確実に防止しようとするものである。
精米機１０の白米流出路に、切替弁６７を介して白米還元流路６８を分岐し、この白米還元流路６８の中途部に白米チャージタンク６９を設け、白米還元流路６８の終端部を前記玄米タンク１７に接続している。この白米チャージタンク６９には、白米が供給されているか否かを検出する白米チャージセンサ７０を設けている。
次に、図９に基づき、精米制御の他の実施例について説明する。
【００２４】
この実施例は、無人精米施設において、精米開始時の精米されない未白米の取出を確実に防止しようとするものである。
精米機１０の白米流出路に、切替弁６７を介して白米還元流路６８を分岐し、この白米還元流路６８の中途部に白米チャージタンク６９を設け、白米還元流路６８の終端部を前記玄米タンク１７に接続している。
【００２５】
前記構成において、精米開始時には、切替弁６７を例えば３０秒間白米還元流路６８側に切り替えると共に、白米チャージタンク６９の開閉弁７０も同じ３０秒間開側に操作する。すると、精米機１０の排出口から最初に未白米が排出しても、約３０秒間はわたり、白米流出路，白米還元流路６８，白米チャージタンク６９を経て玄米タンク１７に還元され、次いで、精米機１０で精米され、精白米が排出される。
【００２６】
次いで、例えば１０秒間にわたり、切替弁６７を白米還元流路６８側への切り替え状態を継続し、白米チャージタンク６９の開閉弁７０を閉操作する。すると、前記約１０秒間にわたり精米された白米が白米チャージタンク６９にチャージされる。次いで、切替弁６７を白米タンク２３側に切り替えると、精米された白米は順次白米タンク２３に取り出され、精米開始時の未精白米の排出を防止できる。
【００２７】
また、精米作業終了時には、最後に玄米タンク１７の玄米が精米機１０に供給されたことを終了検出スイッチ４６が検出すると、開閉弁７０を開けて、白米チャージタンク６９にチャージされている精白米を精米機１０に還元し、最後に供給された玄米の精米圧力を高めながら全量精米して、白米タンク２３に取り出し、精米作業を終了する。
【００２８】
従来の無人精米施設の精米制御にあっては、前記白米チャージタンク６９に白米がチャージされている白米ストック状態での精米機起動か、途中停止後の起動で白米のストックなし状態での起動かの判定は、シ−ケンス制御の実行デ−タにより判定する構成であった。
そのため、設置後の調整作業時、あるいは、点検時の手動操作時に、機械室４の操作盤（図示省略）に設けられている自動手動切替スイッチ，開閉弁７０の手動開閉スイッチを操作して、白米チャージタンク６９の開閉弁７０を開けてストック白米を排出すると、前記シ−ケンス制御のデ−タとずれが生じ、精米終了時に精米機１０から未精白米が取り出されるという不具合が生じることがあった。
【００２９】
そこで、この実施例ではこのような不具合を解消しようとするものである。
以下この実施例の改良構成を説明する。
精米機１０の白米流出路に、切替弁６７を介して白米還元流路６８を分岐し、この白米還元流路６８の中途部には、底部に開閉弁７０のある白米チャージタンク６９を設け、白米還元流路６８の終端部を精米機１０の玄米タンク１７に接続する精米機構成において、白米チャージタンク６９には白米がチャージされているか否かを検出する白米チャージセンサ７１を設ける構成である。
【００３０】
次に、制御内容について説明する。
利用者が投入ホッパ８に玄米を投入しコインを投入して無人精米施設の利用を開始する。すると、まず初めに、白米チャージセンサ７１の検出情報がＣＰＵ４０に取り込まれ、白米チャージタンク６９の白米チャージの有無が判定される。
しかして、白米がストックされていない場合においては、精米開始時には、前記従来装置と同様に、切替弁６７を所定時間白米還元流路６８側に切り替えると共に、白米チャージタンク６９の開閉弁７０も同じ所定時間開側に操作して精米をし、最初に供給した玄米が未精白米のうちは精米機１０に還元して再度精米して白米にする。次いで、開閉弁７０を閉操作し、切替弁６７を所定時間白米還元流路６８側への切り替え状態を継続して、白米チャージタンク６９に精白米をチャージし、その後に切替弁６７を白米タンク２３側に切り替え、精白米を白米タンク２３に取り出していく。
【００３１】
そして、精米作業終了間際には、前記チャージしたストック精白米を精米機１０に供給して、最後の玄米の精米圧力を高めながら全量精米し、利用者に引き取られていく。
また、白米がストックされている場合には、精米作業の途中停止後の再開作業で、精米機１０の精白室１８には精米中の玄米が充填状態であるので、ＣＰＵ４０の指令により開閉弁７０が閉鎖したままで、切替弁６７を白米タンク２３側に切り替えて精米作業を再開する。そして、作業終了時には、最後に白米チャージタンク６９のストック精白米を精米機１０に供給し、最後の玄米の精米圧力を高めて精白米とし、白米タンク２３に取り出し終了する。
【００３２】
前記のように、無人精米施設が試運転調整、あるいは、点検調整により、白米チャージタンク６９にチャージした白米を手動操作で排出した点検整備後の再開精米作業の場合にも、精米終了時の未精白米の排出を防止し、無人精米施設のトラブルを減少させることができる。
次に、図５及び図１０に基づき、投入ホッパ８の底部には、少量（精米機１０の精白室１８の容積よりも小）の残留穀粒を検出できる穀粒投入センサ５８を設けて、精米制御を行う実施例について説明する。
【００３３】
従来の精米制御にあっては、投入コインが切れて駆動を停止するにあたり、停止モ−ドに移行すると、ロ−タリバルブ１３をすぐに停止して投入玄米の取り出しを停止すると共に、取り込まれた玄米を精米し、作業終了間際には、作業開始時に白米チャージタンク６９にチャージされている精白米を還元して精米機１０に供給し、最後の玄米の精米圧力を高め全量精白米として、白米タンク２３から取り出し、その後に搬送系及び精米機１０の駆動を停止していた。
【００３４】
このような従来装置において、投入ホッパ８には穀粒投入センサ５８より上まで玄米が残留している多量残留状態のときには、利用者がコインを追加投入して駆動を再開し、残留玄米を精米する。この際には、精米機１０の精白室１８が充填するだけの玄米量が残っているので、玄米の残り量は精米機１０の精白室１８に投入されて精米される。そのときに、精米再開時に精米機１０から出て来る未精白米は、切替弁６７，白米チャージタンク６９，白米還元流路６８を経由して、精米機１０に循環して精白米とし、次いで、精米された精白米を白米チャージタンク６９にチャージし、その後に精白米を白米タンク２３に送り従事取り出される。そして、作業終了間際には、精米再開時に白米チャージタンク６９にチャージしているストック白米を、精米機１０に還元し、最後の玄米の精米圧力を高めて全量精白米とし、白米タンク２３から取り出す精米作業がなされる。従って、精米再開時に未精白米が取り出されるという問題は発生しない。
【００３５】
しかし、投入ホッパ８には穀粒投入センサ５８より下方に少量の玄米が残留しているとき、即ち、残留玄米量が精米機１０の精白室１８の容積よりも小のときには、金銭を投入して精米を再開した際に、残留玄米が少量であるので精白室１８での圧力が不足して精米できず、未精白米が取り出されるという不具合が発生する。
【００３６】
そこで、この実施例では、料金不足により玄米が少量残留した場合にも、全量精米して精白米として利用者が取り出しできるようにして、このような不具合を解決しようとするものである。
次に、その制御内容について説明する。
精米作業中に駆動が終了して、停止モ−ドに移行すると、穀粒投入センサ５８のＯＮ・ＯＦＦの検出情報により、投入ホッパ８の残留穀粒量の多少が判定される。
【００３７】
そして、穀粒投入センサ５８がＯＮして、多量の玄米が残っているときには、投入玄米を取り出すロ−タリバルブ１３をすぐに停止し、次いで、取り込まれている玄米を精米し、精米終了間際には、精米開始時にチャージしていたストック精白米を精米機１０に供給して、最後の玄米の精米圧力を高めて全量精白し、精白米を白米タンク２３から取り出し、その後に搬送系及び精米機１０の駆動を停止する。
【００３８】
次いで、料金が投入されて精米作業が再開されると、ロ−タリバルブ１３で残留している投入玄米が取り出され、精米機１０に送られて精米される。このときに、玄米の残り量が精米機１０の精白室１８の容積より大であるので、精米圧力を高めて精米することができる。初めに精米機１０から出て来る未精白米を還元して精米し、次いで、精白米が精米機１０から取り出されると白米チャージタンク６９にチャージし、その後に精白米を白米タンク２３から取り出す通常の精米作業ができて、利用者は全量精白米として取り出すことができる。
【００３９】
また、穀粒投入センサ５８がＯＦＦで、少量の玄米しか残っていないときには、投入玄米を取り出すロ−タリバルブ１３の駆動指令を所定時間延長し、残留玄米の排出を終了させ、その後にロ−タリバルブ１３の駆動を停止する。次いで、取り込まれた玄米は搬送系を経て精米機１０に供給され、精米中の玄米と共に精米され、また、精米終了間際には、精米開始時にチャージしていた精白米を精米機１０に還元して、最後の玄米の精米圧力を高めながら全量精米し、精米した精白米は白米タンク２３から全量取り出され、その後に精米機１０を停止する。
【００４０】
前記のように、料金不足で精米作業が途中停止するような場合にも、玄米タンク１７への残留玄米量の大小の相違により異なる精米制御がなされ、残留玄米量が少ないときには、精米中の玄米にまとめて精米処理することができて、未精白米の取り出しを防止して、利用者の利便性を向上することができる。
次に、図１１に基づき、糠処理装置の他の実施例について説明する。
【００４１】
機械室４の仕切壁２の近傍で、且つ、玄米取出部７の近くでしかも投入ホッパ８より遠い側には、糠取出ボックス７３を設けている。この糠取出ボックス７３には、操作室３側から開閉できる扉が設けられている。糠が糠搬送フアン２１により、糠取出ボックス７３の上方に配置している第１サイクロン７４に取り出され、次いで、第１サイクロン７４の下部から糠取出ボックス７３に取り出され、糠取出ボックス７３内の袋ホルダ−（図示省略）に支持されている持ち帰り用の糠袋（図示省略）に回収される構成である。
【００４２】
また、糠取出ボックス７３の下部には糠排出ホッパ７３ａが設けられていて、糠袋で糠を持ち帰らない場合には、第１サイクロン７４から流出した糠は糠排出ホッパ７３ａの上部の網板（図示省略）を経由して、糠排出ホッパ７３ａに流入し、更に、排出ブロア７５，糠排出パイプ７６を経て第２サイクロン７７に供給される。第２サイクロン７７で分離された糠は樋２９に流下し、糠移送ラセン２８で糠袋３０に取り出される構成である。
【００４３】
前記のように、精米時に発生した糠は常に糠取出ボックス７３を経由して、保管用の糠袋３０に回収されるので、利用者は自分の持ち込んだ玄米の糠を持ち帰ることができ、また、糠取出ボックス７３は常時排出ブロア７５で吸引されるので、きれいに保つことができる。次に、図１２に基づき、糠処理装置の他の実施例について説明する。
【００４４】
糠処理用の樋２９には糠移送ラセン２８が設けられていて、樋２９の一端側には、糠シュ−ト７８を介して、建家１の外壁に沿った糠取出ボックス７３を設け、糠取出ボックス７３には建家１外から開閉できる扉が設けられている。糠排出モ−タ７９を正転すると、糠は回収用の糠袋３０，３０に回収され、糠排出モ−タ７９を逆転すると、他側に送られた糠はシュ−ト７８を経て、糠取出ボックス７３内の受箱に取り出される構成であり、取り出された糠を扉を開けて利用者が持ち帰る。
【００４５】
前記のように、糠取出ボックス７３が操作室３と離れた位置に配置されているので、操作室３が糠で汚れることがなく、また、単一のサイクロンで糠の回収及び取出ができるので、構成も簡単となる。
次に、図１３に示す実施例について説明する。この実施例は、精米機１０の初期精米作業、即ち、精米機１０が起動後から精白室１８の排出側の圧迫板２６が開いて白米が出て来るまでの間における、過負荷運転を防止する実施例について説明する。
【００４６】
従来装置にあっては、精米機１０の起動時の過負荷防止については、起動時に所定の過負荷電流値を検出すると、精米機モ−タ２２を逆転し次いで正転する再起動動作を所定回数繰返し、過負荷運転を防止しながら起動していた。
しかし、精米機モ−タ２２を起動した後の約３０秒間の初期精米作業中の過負荷防止はできない構成であり、過負荷の場合には精米機１０の排出部から白米が殆ど出て来ないという不具合が発生していた。この実施例は、このような不具合を解決しようとするものである。
【００４７】
まず、その構成につき説明する。精米機１０の圧迫板２６の開口作動部に開口作動を検出する開口センサ８０を設け、また、精米機１０の主軸に精米機回転センサ８１を設け、開口センサ８０，精米機回転センサ８１，精米機モ−タ２２の負荷電流値を検出する精米機負荷電流センサ（図示省略）を前記ＣＰＵ４０に接続している。
【００４８】
次に、その制御内容について説明する。
前記精米機１０の初期起動がされると、所定時間における精米機回転センサ８１の検出情報から初期起動が完了したか否かを判定する。初期起動が完了すると、次いで、初期精米運転制御に移行し、精米機１０の圧迫板２６が開口センサ８０に接触したか否かにより、適正な初期精米運転か、あるいは、過負荷運転かを判定する。
【００４９】
所定時間内に圧迫板２６が開口センサ８０に接触しＯＮすると、適正精米運転と判定し、精米作業を継続する。また、所定時間内に開口センサ８０がＯＮしないときには、ＣＰＵ４０からの指令で精白ロ−ル１９の正転を停止し、次いで、精白ロ−ル１９を所定時間逆回転し、初期精米運転の再起動を所定数回実行する。
【００５０】
次いで、その間に精米機回転センサ８１の検出回転数が所定の基準回転数に達しているか否かを検出して、適正精米運転か否かを判定し、基準回転数に達していると、初期精米運転完了と判定して、精米作業を継続する。また、それでも、精米機回転センサ８１の検出回転数が基準回転数にならないときには、初期精米運転不能と判定し、異常報知をする。
【００５１】
前記のように構成したので、精米機１０の起動後の初期精米作業時の過負荷運転を防止し、トラブル回数を少なくしながら無人精米施設の運転をすることができる。
なお、前記図１３の実施例における精米機回転センサ８１で回転数を検出するものに替えて、精米機モ−タ２２の負荷電流値を負荷電流センサで検出し、基準値と比較して、基準値よりも検出負荷電流値が低い場合には、適正運転と判定し、高い場合には、過負荷運転と判定し、再度初期精米運転の起動をする構成としてもよい。
【００５２】
また、前記図１３の実施例に示した初期精米運転制御を、精米機１０の起動後の初期精米作業に限らず、精米機１０の全運転時に実行する構成とすると、無人精米施設の精米機１０のトラブルを少なくしながら運転することができる。
次に、図１４に基づき、料金投入方法の他の実施例について説明する。
前記実施例では、無人精米施設を駆動するに際し、コインメック３３に１００円の硬貨を投入して駆動する構成であるが、こお実施例では、硬貨，プリペイドカード（一般用）８２及びプリペイドカード（会員用）８３の併用できる構成としている。
【００５３】
しかして、硬貨及びプリペイドカード（一般用）８２を挿入した場合には、普通料金（例えば、３０ｋｇ…４００円）で無人精米施設を利用することができ、また、プリペイドカード（会員用）８３を挿入すると、会員割引料金（例えば、３０ｋｇ…３００円）で利用することができる。
また、図４に示すコインメック３３は、１００円硬貨専用タイプであるが、１００円専用のコインメックにあっては、投入された硬貨は順次下方の金庫に収納されていくが、利用者の増加により金庫が満杯になると、硬貨を投入してもコイン枚数表示灯３２が点灯しないというトラブルが発生していた。
【００５４】
この実施例では、１００円硬貨が投入される毎に、ＣＰＵ４０に投入信号が入力されて、キープカウンタに蓄積され、キープカウンタが所定の設定枚数になると、ＣＰＵ４０からの指令信号で、表示部に故障表示がされて、無人精米施設を使用禁止とする構成である。したがって、前記不具合を防止できる。
次に、図１５に示す実施例について説明する。
【００５５】
この実施例は、前記無人精米施設に玄米販売機能を付加し、装置の共用化を図りコストの削減をしようとするものである。
前記無人精米施設には、玄米販売用の複数の販売用玄米タンク８４，８４，…が並設されていて、この販売用玄米タンク８４，８４，…の下部には、ロ−タリバルブ８５，８５，…が夫れ夫れ設けられている。ロ−タリバルブ８５により取り出された玄米は、投入ホッパ（販売用）８６に供給され、底部の計量器８７で重量が計量される構成である。計量された玄米は昇降機８８，二方向切替弁８９を経由して、投入ホッパ８あるいは白米タンク２３に供給される。
【００５６】
販売用玄米タンク８４，８４，…近傍の玄米販売用の操作盤（図示省略）には、図示省略したが、品種別の販売用玄米タンク８４，８４，…を選択する玄米選択設定器，購入玄米重量を設定する重量設定器，金銭投入器，つり銭払出器、白米持ち帰りスイッチ、玄米持ち帰りスイッチ等が設けられていて、ＣＰＵ４０に夫れ夫れ接続されている。
【００５７】
これらの設定器，スイッチ類を操作し、購入玄米情報が設定されると、これに関連して、ＣＰＵ４０から玄米取出指令が出され、選択された玄米の販売用玄米タンク８４，８４，…のロ−タリバルブ８５が、所定時間駆動されて、購入玄米が投入ホッパ８６に取り出される。
次いで、取り出された玄米は計量器８７で計量され、玄米持ち帰りスイッチ（図示省略）が押されている場合には、昇降機８８，二方向切替弁８９を経て、購入玄米は精米されることなく、白米タンク２３から取り出される。
【００５８】
また、白米持ち帰りスイッチ（図示省略）が押されている場合には、昇降機８８，二方向切替弁８９を経由して、投入ホッパ８に供給される。投入ホッパ８の穀粒投入センサ５８が玄米の投入を検出すると、操作盤６の上白スイッチ３５，標準スイッチ３６，八分スイッチ３７のいずれかを操作するようにとの点滅表示がなされ、いずれかのスイッチをＯＮすると、調節部を選択スイッチに対応した調節をし、ＣＰＵ４０から計量器８７で計量された玄米重量に対応した時間の駆動指令が出されて、無人精米施設が駆動され、玄米が精米され、白米タンク２３から取り出される。
【００５９】
前記のように、玄米購入者には希望すれば無料で精米されるので、玄米販売機の玄米販売を促進することができる。
また、前記玄米販売機能付き無人精米施設の駆動を、穀粒投入センサ５８により投入ホッパ８に購入玄米が供給されるのを検出し、次いで、精白度選択スイッチをＯＮすることにより、無人精米施設の駆動が開始される構成としてもよい。
【００６０】
従来装置にあっては、投入ホッパ（販売用）８６に購入玄米が投入され、計量が終了すると、無人精米施設も駆動される構成であった。そして、投入ホッパ（販売用）８６から投入ホッパ８への搬送する場合には、購入玄米量に相当する所定時間にわたり無人精米施設への玄米搬送系を駆動している構成であるが、搬送量が何らかの原因で減少すると全量搬送できず、精米できないような不具合や、無人精米施設の駆動終了まで前記玄米搬送系を駆動するものであると、電力料金が高くなるという問題点があった。
【００６１】
しかし、前記構成とすることにより、販売玄米を確実に精米し、トラブルが減少することができる。
【図面の簡単な説明】
【図１】全体平面図
【図２】装置の概略を示すフロ−図
【図３】精米機の側断面図
【図４】操作盤の正面図
【図５】投入ホッパ８の斜視図
【図６】ブロック図
【図７】精米機の側断面図
【図８】ブロック図
【図９】精米機の側断面図
【図１０】精米機の側断面図
【図１１】装置の概要を示すフロ−図
【図１２】平面図、側面図
【図１３】精米機の側断面図
【図１４】操作盤の正面図
【図１５】装置の概要を示すフロ−図
【符号の説明】
１…建家，２…仕切壁，３…操作室，４…機械室，５…玄米投入部，６…操作盤，７…白米取出部，８…投入ホッパ，９…精米昇降機，９ａ…石抜機用昇降機，９ｂ…石抜機，１０…精米機，１１…糠回収手段，１２…開口部，１３…ロ−タリバルブ，１４…供給ラセン，１５…供給樋，１６…供給ラセン駆動モ−タ，１７…玄米タンク，１８…精白室，１９…精白ロ−ル，２０…徐糠スクリ−ン，２１…糠搬送フアン，２２…精米機モ−タ，２３…白米タンク，２４…送風フアン，２５…白度調節モ−タ，２６…圧迫板，２７…サイクロン，２８…糠移送ラセン，２９…樋，３０…糠袋，３１…玄米投入可能ランプ，３２…コイン枚数表示灯，３３…コインメック，３４…もち米選択スイッチ，３５…上白スイッチ，３６…標準スイッチ，３７…八分スイッチ，３８…料金表，３９…コインセンサ，４０…マイクロコンピュ−タ（ＣＰＵ），４３…過負荷停止スイッチ４３，４４…供給ラセン時間切スイッチ，４５…白度調節スイッチ，４６…終了検出スイッチ，４７…停止スイッチ，４８…回転センサ，４９…手動スイッチ，５０…精米機駆動手段，５１…駆動手段，５２…精白度強駆動手段，５３…精白度弱駆動手段，５４…コイン投入禁止手段，５５…料金追加ランプ，５６…精米終了ランプ，５７…料金表示灯，６０…糠排出フアンケ−ス，６１…網破れセンサ，６２…  センサ解析部，６３…網破れ接点，６４…精米接点，６５…選択スイッチ，６６…故障表示板，６７…切替弁，６８…白米還元流路，６９…白米チャージタンク，７０…開閉弁，７１…白米チャージセンサ，７３…糠取出ボックス，７４…第１サイクロン，７５…排出ブロア，７６…糠排出パイプ，７７…第２サイクロン，７８…糠シュ−ト，７９…糠排出モ−タ，８０…開口センサ，８１…精米機回転センサ，８２…プリペイドカード（一般用），８３…プリペイドカード（会員用），８４…販売用玄米タンク，８７…計量器
【図１】
0003707157.tif 000002
【図２】
0003707157.tif 000003
【図３】
0003707157.tif 000004
【図４】
0003707157.tif 000005
【図５】
0003707157.tif 000006
【図６】
0003707157.tif 000007
【図７】
0003707157.tif 000008
【図８】
0003707157.tif 000009
【図９】
0003707157.tif 000010
【図１０】
0003707157.tif 000011
【図１１】
0003707157.tif 000012
【図１２】
0003707157.tif 000013
【図１３】
0003707157.tif 000014
【図１４】
0003707157.tif 000015
【図１５】
0003707157.tif 000016